(57)【要約】      （修正有）【課題】天然素材の紙材を使用して廃棄プラスチック問題や環境破壊問題を解決する一助となる紙製手提げ袋を提供する。【解決手段】２枚の紙材１１を重合した平袋体１０を形成する。平袋体１０の開口部側の外側面に厚紙にて形成された一対の把手２０を接着する。開口部側の左右側縁に開口用スリット１６を設ける。平袋体１０を印刷可能な厚さに形成する。平袋体１０の表面に印刷領域１７を形成する。平袋体１０に切取線１８を形成する。該切取線１８に沿って切り離すとファイルが形成される。【選択図】図３
0003227158.tif 000002
【実用新案登録請求の範囲】
【請求項１】
重合した２枚の紙材の底縁部から左右側縁部を接着すると共に、開口部を形成した平袋体を形成し、該平袋体の開口部側の外側面又は内側面のいずれか一方又は両方に厚紙にて形成された一対の把手をそれぞれ接着すると共に、開口部側の左右側縁に開口用スリットを設けたことを特徴とする紙製手提げ袋。
【請求項２】
前記平袋体は印刷自在な厚さに形成されると共に、前記平袋体の表面に前記平袋体ごと印刷を施す印刷領域を形成した請求項１記載の紙製手提げ袋。
【請求項３】
前記平袋体の前記左右側縁部の一方の側縁部から前記開口部側に沿った切取線を形成し、該切取線から前記平袋体を切り離すと上部と一方の側縁部とが連続して開口する開口部を備えたファイルが形成されるように構成した請求項１記載の紙製手提げ袋。
【考案の詳細な説明】
【技術分野】
【０００１】
本考案は、紙製の平袋にて構成された手提げ袋に係り、利用者による印刷が自由に行えると共に、使用後にファイルとしても再利用することが可能な紙製手提げ袋に関する。
【背景技術】
【０００２】
特許文献１に、従来の紙製手提げ袋が記載されている。この手提げ袋は、袋の正面又は背面にコマーシャル印刷部及びホームページアドレス印刷部を備えている。そして、所望のホームページアドレスを施した紙製手提げ袋を安価に製作できるように構成した紙製手提げ袋である。
【０００３】
また、手提げ袋の一部を切り離すことで、クリアファイルを形成するクリアファイル手提げ袋が特許文献２に記載されている。この手提げ袋はポリプロピレン等のプラスチックを材料として形成されたもので、手提げ袋に予め形成されている切込み線に沿って切り離すと、プラスチック製のクリアファイルが形成されるものである。
【０００４】
一方、現在では廃棄プラスチック問題が懸念されている。これは、海洋に流出した廃プラスチックの弊害に関するものである。すなわち、廃プラスチックが分解して細分化すると、マイクロプラスチックと称する極めて小さな粒体が形成される。そうすると、廃プラスチック自体の海洋汚染に加えて、海洋に拡散したマイクロプラスチックは食物連鎖に取り込まれることになるため、生態系に悪影響を及ぼすおそれがあるというものである。
【０００５】
そのため、プラスチックに代わる脱炭素素材の使用が注目されており、特に紙材はプラスチックの代替素材として再び注目されている素材である。
【先行技術文献】
【特許文献】
【０００６】
【特許文献１】特開２００２-１２０８５０号公報
【特許文献２】実用新案登録第３１１５７１０号公報
【考案の概要】
【考案が解決しようとする課題】
【０００７】
特許文献１のごとく、紙製の手提げ袋は廃棄プラスチック問題を解決する一助として有効である。しかも、紙製なので、ホームページアドレスを自由に印刷することも可能である。しかしながら、この紙製手提げ袋は、使用後に再利用することにまでは考慮されていなかった。
【０００８】
すなわち、紙材の原料になるパルプの大量使用は、環境破壊問題につながるおそれかあるので、紙材を使用する場合には、常に再利用可能な構成が望まれており、使用後の紙は一般に再生紙として利用されていることは周知のである。そこで、再生紙とする前に、製品自体を再利用することは、この環境問題にも極めて有効である。
【０００９】
一方、特許文献２のように、手提げ袋としての使用後に、クリアファイルが形成される構成のように、製品を再利用することは既に提案されている。ところが、このクリアファイル手提げ袋は、ポリプロピレン等のプラスチックで形成されているので、個人が使用するプリンター等で自由に印刷を施すことが困難になる。しかも、素材にプラスチックを使用しているので、廃棄プラスチック問題を助長することにもなる。
【００１０】
このように、合成樹脂材を使用した手提げ袋は再利用可能になっているが、紙製の手提げ袋で再利用できるものはこれまで提案されていなかった。
【００１１】
そこで本考案は、上述の課題を解決すべく案出されたもので、再利用可能な紙製の手提げ袋を構成することで廃棄プラスチック問題を解決する一助となり、しかも、手提げ袋の再利用を可能にすることで環境問題にも有効になる紙製手提げ袋の提供を目的とする。
【課題を解決するための手段】
【００１２】
上述の目的を達成すべく本考案における第１の手段は、重合した２枚の紙材１１の底縁部１２から左右側縁部１３、１４を接着すると共に、開口部１５を形成した平袋体１０を形成し、該平袋体１０の開口部１５側の外側面又は内側面のいずれか一方又は両方に厚紙にて形成された一対の把手２０をそれぞれ接着すると共に、開口部１５側の左右側縁に開口用スリット１６を設けたものである。
【００１３】
第２の手段において、前記平袋体１０は印刷自在な厚さに形成されると共に、前記平袋体１０の表面に前記平袋体１０ごと印刷を施す印刷領域１７を形成したものである。
【００１４】
第３の手段は、前記平袋体１０の前記左右側縁部１３、１４の一方の側縁部から前記開口部側に沿った切取線１８を形成し、該切取線１８から前記平袋体１０を切り離すと上部と一方の側縁部とが連続して開口する開口部３１を備えたファイル３０が形成されるように構成している。
【考案の効果】
【００１５】
本考案の請求項１のように、重合した２枚の紙材１１の底縁部１２から左右側縁部１３、１４を接着すると共に、開口部１５を形成した平袋体１０を形成し、該平袋体１０の開口部側の外側面又は内側面のいずれか一方又は両方に厚紙にて形成された一対の把手２０をそれぞれ接着すると共に、開口部側の左右側縁に開口用スリット１６を設けたことにより、紙製の平袋体１０を手提げ袋として使用することが可能になった。そして、この平袋体１０は天然素材の紙材を使用しているので、合成樹脂材の使用が一切なく、廃棄プラスチック問題を解決する一助となる。
【００１６】
請求項２のごとく、前記平袋体１０は印刷自在な厚さに形成されると共に、前記平袋体１０の表面に前記平袋体１０ごと印刷を施す印刷領域１７を形成しているので、平袋体１０を形成した後で任意の印刷を施すことが可能になる。この結果、平袋体１０の形状に適した任意の印刷が可能になる。
【００１７】
請求項３のように、前記平袋体１０の前記左右側縁部１３、１４の一方の側縁部から前記開口部側に沿った切取線１８を形成し、該切取線１８から前記平袋体１０を切り離すと上部と一方の側縁部とが連続して開口する開口部３１を備えたファイル３０が形成されるように構成しているので、手提げ袋として使用した後に、紙製のファイル３０として再利用することができる。
【００１８】
しかも、この紙製のファイル３０は、印刷可能な厚さに形成された平袋体１０の一部であるから、個人が使用するプリンター等で自由に印刷を施すことが可能になる。この結果、パルプを原料とする紙製の手提げ袋の再利用が可能になり、環境破壊問題の一助となるものである。
【００１９】
このように本考案によると、再利用可能な紙製の手提げ袋を構成することで廃棄プラスチック問題を解決する一助となり、しかも、手提げ袋の再利用を可能にすることで環境問題にも有効であるなどといった当初の目的を達成した。
【図面の簡単な説明】
【００２０】
【図１】本考案の一実施例を示す正面図である。
【図２】本考案の平袋体に把手を取り付ける状態を示す正面図である。
【図３】本考案の平袋体を示す斜視図である。
【図４】本考案のファイルを切り離した状態を示す正面図である。
【図５】本考案の他の実施例を示す正面図である。
【図６】本考案の他の実施例を示す斜視図である。
【考案を実施するための形態】
【００２１】
以下、本考案の実施例を説明する。本考案手提げ袋は、２枚の紙材１１にて形成された平袋体１０に把手２０を設けたものである（図１、図３参照）。
【００２２】
この平袋体１０は、重合した２枚の紙材１１の底縁部１２から左右側縁部１３、１４を接着したもので、上部に開口部１５を形成している（図３参照）。
【００２３】
さらに、平袋体１０の開口部側の両側縁に開口用スリット１６を設けている（図３参照）。そして、この平袋体１０の開口部側の外側面又は内側面に厚紙にて形成された一対の把手２０をそれぞれ接着することで手提げ袋が形成されている。
【００２４】
図示の把手２０は矩形状を成し、手指を挿入する把持口２１を開口している（図１参照）。そして、平袋体１０を形成する各紙材１１の開口部側の外側面に、それぞれ把手２０を接着したものである（図３参照）。把手２０の接着部２２は、各紙材１１と一体化して平袋体１０の開口部１５の強度を高める（図２参照）。尚、把手２０の接着部位は、平袋体１０の開口部側の外側面（図３参照）や、内側面（図６参照）のいずれかに接着している。さらに、例えば図６に示す把手２０を開口部側の外側面と内側面との両方に設けてもよく、把手２０の接着位置等は任意に変更することができる。
【００２５】
この平袋体１０は印刷自在な厚さに形成されている。そして、平袋体１０の表面に平袋体１０ごと印刷を施す印刷領域１７を形成したものである（図２参照）。図示の印刷領域１７は、紙材１１の全面を印刷領域１７として設定している。印刷領域１７への印刷は、平袋体１０に把手２０を設ける前の状態で施すことができる。
【００２６】
更に、この平袋体１０に設けた切取線１８を切り離すと、ファイル３０が形成される（図４参照）。図示の切取線１８は、平袋体１０の前記左側縁部１３と開口部１５とに沿って逆Ｌ字状を成している。この切取線１８に沿って平袋体１０を切り離すと、ファイル３０が形成されるものである。
【００２７】
図示のファイル３０は、ファイル３０の上部と一方の側縁部とが連続して開口する開口部３１を備えた形状をなしている（図４参照）。また、この紙製のファイル３０は、印刷自在な厚さに形成された平袋体１０の一部であるから、個人が使用するプリンターを使用して自由な印刷を施すことができる。
【００２８】
そのため、平袋体１０に設定する印刷領域１７は、手提げ袋用の印刷領域１７とファイル３０用の印刷領域１７とに分けて設定することも可能である。
【００２９】
尚、本考案の平袋体１０や把手２０、ファイル３０等の形状やサイズ等は、図示例に限定されるものではなく、本考案の要旨を変更しない範囲において自由に変更できるものである。
【符号の説明】
【００３０】
１０  平袋体
１１  紙材
１２  底縁部
１３  左側縁部
１４  右側縁部
１５  開口部
１６  開口用スリット
１７  印刷領域
１８  切取線
２０  把手
２１  把持口
２２  接着部
３０  ファイル
３１  開口部
【図１】
0003227158.tif 000003
【図２】
0003227158.tif 000004
【図３】
0003227158.tif 000005
【図４】
0003227158.tif 000006
【図５】
0003227158.tif 000007
【図６】
0003227158.tif 000008